(57)【要約】【課題】本発明は投影設備、投影方法及び投影システムを提供する。【解決手段】投影システムは投影設備を含み、かつ投影方法は投影設備を制御する。投影設備は投影装置、画像音声処理回路及び電源制御回路を含む。画像音声処理回路は投影装置にカップリングされる。電源制御回路は投影装置及び画像音声処理回路にカップリングされる。電源制御回路は、外部の電源供給ユニットが開閉可能機構の開け状態に応じて提要した電源信号を受信する。電源制御回路は電源信号に基づいて投影装置及び画像音声処理回路を駆動して、画像音声処理回路から動画データを投影装置に出力させ、かつ投影装置が動画データに基づいて動画投影画面を投射するように制御する。投影設備は自動的にかつ即時に動画投影画面を投影目標に投射することで、即時に投影目標において予定の投影効果を実現する。【選択図】図１
2020191638.tif 000002
【特許請求の範囲】
【請求項１】
投影設備であって、
前記投影設備は投影装置、画像音声処理回路及び電源制御回路を含み、
前記画像音声処理回路は前記投影装置にカップリングされ、
前記電源制御回路は前記投影装置及び前記画像音声処理回路にカップリングされ、かつ、開閉可能機構の開け状態に応じて外部の電源供給ユニットが提供した電源信号を受信し、
前記電源制御回路は前記電源信号に基づいて前記投影装置及び前記画像音声処理回路を駆動して、前記画像音声処理回路から動画データを前記投影装置に出力させ、かつ、前記投影装置を制御して前記動画データに基づいて動画投影画面を投射させることを特徴とする、投影設備。
【請求項２】
前記投影装置が前記動画投影画面を投射し終わり、かつ前記開閉可能機構が前記開け状態を維持している時、前記画像音声処理回路は静止画データを前記投影装置に出力し、前記投影装置が前記静止画データに基づいて第一予定時間内に静止投影画面を投射し続けるようにすることを特徴とする、請求項１に記載の投影設備。
【請求項３】
前記投影装置が前記静止投影画面を投射し終わり、かつ前記開閉可能機構が前記開け状態を維持している時、前記画像音声処理回路は合計投影時間の長さが第二予定時間の長さを超えたか否かを判断し、超えていない場合、再度順に前記動画データ及び前記静止画データに基づいて前記動画投影画面及び前記静止投影画面を投射することを特徴とする、請求項２に記載の投影設備。
【請求項４】
前記投影設備はさらに、前記電源制御回路及び前記画像音声処理回路にカップリングされる音声装置を含み、
前記電源制御回路は前記電源信号に基づいて前記音声装置をも駆動して、前記画像音声処理回路から前記音声装置へ音声データを出力させ、かつ前記音声装置を制御して前記音声データに基づいて音声を再生させることを特徴とする、請求項１に記載の投影設備。
【請求項５】
前記画像音声処理回路は第一制御回路及び第二制御回路を含み、
前記第一制御回路は設定データを記憶し、
前記第二制御回路は前記第一制御回路及び前記投影装置にカップリングされ、かつ前記投影装置を制御し、
前記第一制御回路は前記設定データを前記第二制御回路に提供し、前記第二制御回路が前記設定データに基づいて前記投影装置を設置し、かつ前記第二制御回路が前記動画データを前記投影装置に出力することを特徴とする、請求項１に記載の投影設備。
【請求項６】
前記第一制御回路は第一メモリ及び第一処理回路を含み、かつ前記第二制御回路は第二メモリ及び第二処理回路を含み、
前記第一処理回路は前記第一メモリ及び前記第二処理回路にカップリングされ、かつ前記第二処理回路は前記第二メモリ及び前記投影装置にカップリングされ、
前記第一メモリは前記設定データを記憶し、かつ前記第二メモリは静止画データを記憶することを特徴とする、請求項５に記載の投影設備。
【請求項７】
前記第一メモリはさらに圧縮された動画データを記憶し、
前記第一処理回路の画像コーデックモジュールが前記圧縮された動画データを解凍し、かつ前記第二処理回路に出力し、
前記第二処理回路の画像処理モジュールが前記解凍された動画データを前記投影装置が読み取り可能な画像データに変換し、かつ前記投影装置に出力することを特徴とする、請求項６に記載の投影設備。
【請求項８】
前記第二メモリはさらに圧縮された動画データを記憶し、
前記第一処理回路の制御モジュールが前記設定データを前記第二処理回路に提供し、かつ前記第二処理回路の画像コーデックモジュールは前記圧縮された動画データを解凍し、
前記第二処理回路の画像処理モジュールが前記解凍された動画データを前記投影装置が読み取り可能な画像データに変換し、かつ前記投影装置に出力することを特徴とする、請求項６に記載の投影設備。
【請求項９】
前記投影装置は光源と駆動回路モジュール、表示画像生成モジュール及び投影光学システムを含み、
前記光源と駆動回路モジュールは第二処理回路にカップリングされ、照明光束を提供し、
前記表示画像生成モジュールは前記第二処理回路にカップリングされ、前記照明光束を画像光束に変換し、
前記投影光学システムは前記画像光束の伝達経路上に位置し、前記画像光束を投影目標に投射し、
前記表示画像生成モジュールは前記動画データを受信し、かつ前記動画データに対応する前記画像光束を前記投影光学システムに提供することで、前記投影光学システムが前記動画データに基づいて前記動画投影画面を前記投影目標に投射するようにすることを特徴とする、請求項５に記載の投影設備。
【請求項１０】
前記開閉可能機構は車のドアであり、かつ前記投影設備が前記車のドアの下縁に設置され、前記車のドアが前記開け状態の場合、前記投影装置は地面に向けて前記動画投影画面を投射することを特徴とする、請求項１に記載の投影設備。
【請求項１１】
投影設備に応用される投影方法であって、
電源制御回路は開閉可能機構の開け状態に応じて外部の電源供給ユニットが提供した電源信号を受信した時、前記電源制御回路が前記電源信号に基づいて投影装置及び画像音声処理回路を駆動するステップと、
前記画像音声処理回路が動画データを前記投影装置に出力し、かつ前記投影装置を制御して前記動画データに基づいて動画投影画面を投射させるステップとを含むことを特徴とする、投影方法。
【請求項１２】
前記投影方法はさらに、
前記投影装置が前記動画投影画面を投射し終わり、かつ前記開閉可能機構が前記開け状態を維持している時、前記画像音声処理回路が静止画データを前記投影装置に出力することで、前記投影装置が前記静止画データに基づいて第一予定時間内に静止投影画面を投射し続けるようにするステップを含むことを特徴とする、請求項１１に記載の投影方法。
【請求項１３】
前記投影方法はさらに、
前記投影装置が前記静止投影画面を投射し終わり、かつ前記開閉可能機構が前記開け状態を維持している時、前記画像音声処理回路が合計投影時間の長さが第二予定時間の長さを超えたか否かを判断し、超えていない場合、再度順に前記動画データ及び前記静止投影画面に基づいて前記動画投影画面及び前記静止投影画面を投射するステップを含むことを特徴とする、請求項１２に記載の投影方法。
【請求項１４】
前記投影方法はさらに、
前記電源制御回路が前記電源信号に基づいて音声装置を駆動するステップと、
前記画像音声処理回路が音声データを前記音声装置に出力することで、前記音声装置が前記音声データに基づいて音声を再生するようにするステップとを含むことを特徴とする、請求項１１に記載の投影方法。
【請求項１５】
前記開閉可能機構は車のドアであり、かつ前記投影設備が前記車のドアの下縁に設置され、前記車のドアが前記開け状態の場合、前記投影装置が地面に向けて前記動画投影画面を投射することを特徴とする、請求項１１に記載の投影方法。
【請求項１６】
投影システムであって、
前記投影システムは開閉可能機構、センサ、電源供給ユニット及び投影設備を含み、
前記センサは前記開閉可能機構が開け状態であるか否かを判断し、検出信号を出力し、
前記電源供給ユニットは前記センサにカップリングされ、かつ前記検出信号に基づいて電源信号を提供し、
前記投影設備は投影装置、画像音声処理回路及び電源制御回路を含み、
前記画像音声処理回路は前記投影装置にカップリングされ、
前記電源制御回路は前記投影装置及び前記画像音声処理回路にカップリングされ、かつ前記電源信号を受信し、
前記電源制御回路は前記電源信号に基づいて前記投影装置及び前記画像音声処理回路を駆動して、前記画像音声処理回路から動画データを前記投影装置に出力させ、かつ前記投影装置を制御して前記動画データに基づいて動画投影画面を投射させることを特徴とする、投影システム。
【請求項１７】
前記投影装置が前記動画投影画面を投射し終わり、かつ前記開閉可能機構が前記開け状態を維持している時、前記画像音声処理回路が静止画データを前記投影装置に出力し、前記投影装置が前記静止画データに基づいて第一予定時間内に静止投影画面を投射し続けるようにすることを特徴とする、請求項１６に記載の投影システム。
【請求項１８】
前記投影装置が前記静止投影画面を投射し終わり、かつ前記開閉可能機構が前記開け状態を維持している時、前記画像音声処理回路は合計投影時間の長さが第二予定時間の長さを超えたか否かを判断し、超えていない場合、再度順に前記動画データ及び前記静止投影画面に基づいて前記動画投影画面及び前記静止投影画面を投射することを特徴とする、請求項１７に記載の投影システム。
【請求項１９】
前記投影システムはさらに、前記電源制御回路及び前記画像音声処理回路にカップリングされる音声装置を含み、
前記電源制御回路が前記電源信号に基づいて前記音声装置をも駆動して、前記画像音声処理回路から前記音声装置へ音声データを出力させ、かつ前記音声装置を制御して前記音声データに基づいて音声を再生させることを特徴とする、請求項１６に記載の投影システム。
【請求項２０】
前記開閉可能機構は車のドアであり、かつ前記投影設備が前記車のドアの下縁に設置され、前記車のドアが前記開け状態の場合、前記投影装置が地面に向けて前記動画投影画面を投射することを特徴とする、請求項１６に記載の投影システム。
【請求項２１】
投影設備であって、
前記投影設備は投影装置、画像音声処理回路、電源制御回路及びデータ接続モジュールを含み、
前記画像音声処理回路は前記投影装置にカップリングされ、
前記電源制御回路は前記投影装置及び前記画像音声処理回路にカップリングされ、かつ開閉可能機構の開け状態に応じて外部の電源供給ユニットが提供した電源信号を受信し、
前記電源制御回路は、前記電源信号に基づいて前記投影装置及び前記画像音声処理回路を駆動して、前記画像音声処理回路から動画データを前記投影装置に出力させ、かつ前記投影装置を制御して前記動画データに基づいて動画投影画面を投射させ、
前記データ接続モジュールは前記画像音声処理回路に接続され、かつ、前記データ接続モジュールは有線または無線方式で外部データ源に接続され、前記外部データ源が提供する更新された動画データまたは静止画データ及び音声データを受信することを特徴とする、投影設備。
【発明の詳細な説明】
【技術分野】
【０００１】
本発明は投影技術分野に関し、特に投影設備、投影方法及び投影システムに関する。
【背景技術】
【０００２】
一般的に、自動車の照明指示装置（Ｉｌｌｕｍｉｎａｔｉｏｎ  ｉｎｄｉｃａｔｉｎｇ  ａｐｐａｒａｔｕｓ）はドアの下縁に設置される。これにより、周りが暗い時または夜間、前記照明指示装置は自動車の運転または乗客が乗下車する時に明るい照明効果を提供することができる。しかし、従来の自動車の照明指示装置は決まったパターンの照明光束を地面に投射することしかできず、多様な投影効果を提供することができない。また、従来の自動車の照明指示装置は、車のドアが開いていると地面へ照明光束を投射し続けるため、電源切れになる（電気エネルギーが尽きる）まで自動車バッテリーを消費し続ける。これに鑑み、本発明は、如何にして多様な投射効果を提供するか、または自動車バッテリーが自動車の照明指示装置によって電源切れになることを効果的に防ぐかについて、その解決方法を提供するものである。
【０００３】
「背景技術」は本発明の内容の解明のみを目的とするため、「背景技術」の記載内容には当業者に知られている従来技術以外の構成が含まれている可能性がある。「背景技術」に記載された内容は、当該内容または本発明の一つ若しくは複数の実施例が解決しようとする課題が本発明の出願前に当業者に把握または認識されていたことを意味するものではない。
【発明の概要】
【発明が解決しようとする課題】
【０００４】
本発明の投影設備、投影方法及び投影システムは、開閉可能機構の開閉状態に基づいて自動的に動画投影画面を投射することで、多様な投射効果を提供し、かつ自動車バッテリーが自動車の照明指示装置によって電源切れになることを効果的に防止する。
【課題を解決するための手段】
【０００５】
前記一つ、一部またはすべての目的またはその他の目的を達成するために、本発明の投影設備は開閉可能機構に設置することができる。投影設備は投影装置、画像音声処理回路及び電源制御回路を含む。画像音声処理回路は投影装置にカップリングされる。電源制御回路は投影装置及び画像音声処理回路にカップリングされる。電源制御回路は、外部の電源供給ユニットが開閉可能機構の開け状態に応じて提供した電源信号を受信する。電源制御回路は電源信号に基づいて投影装置及び画像音声処理回路を駆動して、画像音声処理回路から動画データを投影装置に出力させ、かつ前記投影装置を制御して前記動画データに基づいて動画投影画面を投射させる。
【０００６】
前記一つ、一部またはすべての目的またはその他の目的を達成するために、本発明の投影方法は投影設備に応用される。投影方法は以下のステップ、即ち、外部の電源供給ユニットが開閉可能機構の開け状態に応じて提供した電源信号を電源制御回路が受信した時、電源制御回路は電源信号に基づいて投影装置及び画像音声処理回路を駆動するステップ、及び、画像音声処理回路が動画データを投影装置に出力し、かつ投影装置を制御して動画データに基づいて動画投影画面を投射させるステップを含む。
【０００７】
前記一つ、一部またはすべての目的またはその他の目的を達成するために、本発明の投影システムは開閉可能機構、センサ、電源供給ユニット及び投影設備を含む。センサは開閉可能機構が開け状態であるか否かを判断して、検出信号を出力する。電源供給ユニットはセンサにカップリングされる。電源供給ユニットは検出信号に基づいて電源信号を提供する。投影設備は投影装置、画像音声処理回路及び電源制御回路を含む。画像音声処理回路は投影装置にカップリングされる。電源制御回路は投影装置及び画像音声処理回路にカップリングされる。電源制御回路は、外部の電源供給ユニットが開閉可能機構の開け状態に応じて提供した電源信号を受信する。電源制御回路は電源信号に基づいて投影装置及び画像音声処理回路を駆動し、画像音声処理回路が動画データを投影装置に出力するようにして、かつ投影装置を制御して動画データに基づいて動画投影画面を投射させる。
【０００８】
前記一つ、一部またはすべての目的またはその他の目的を達成するために、本発明の投影設備は投影装置、画像音声処理回路、電源制御回路及びデータ接続モジュールを含み、前記画像音声処理回路が前記投影装置にカップリングされ、前記電源制御回路が前記投影装置及び前記画像音声処理回路にカップリングされ、かつ外部の電源供給ユニットが開閉可能機構の開け状態に応じて提供した電源信号を受信する。前記電源制御回路は前記電源信号に基づいて前記投影装置及び前記画像音声処理回路を駆動し、前記画像音声処理回路が動画データを前記投影装置に出力するようにして、かつ、前記投影装置を制御して前記動画データに基づいて動画投影画面を投射させる。それに、前記データ接続モジュールは前記画像音声処理回路に接続され、また、前記データ接続モジュールが有線または無線方式で外部データ源に接続されて、前記外部データ源が提供する更新された動画データまたは静止画データ及び音声データを受信する。
【発明の効果】
【０００９】
以上により、本発明の投影設備、投影方法及び投影システムは、センサによって開閉可能機構の開閉状態を自動的に検出し、かつ、開閉可能機構が開け状態である場合、投影設備が自動的にかつ即時に動画投影画面を地面に投射し、ユーザが予め設定した投影効果を即時に投影面に表示することができる。
【００１０】
本発明の上記特徴及び利点をより分かりやすく示すために、以下は実施例を挙げて、図面を参照しながら詳しく説明する。
【図面の簡単な説明】
【００１１】
図面は本発明に関する理解を促す目的によるものであり、かつ、図面は本明細書に含まれ、本明細書を構成する一部である。図面は本発明の実施例を示し、かつ文字記載とともに本発明の原理を解明するものである。
【図１】本発明の一実施例の投影システムの配置を示すブロック図。
【図２】本発明の一実施例の投影方法のフローチャート。
【図３】本発明の別の実施例の投影方法のフローチャート。
【図４】本発明の別の実施例の投影システムの配置を示すブロック図。
【図５】本発明のさらに別の実施例の投影システムの配置を示すブロック図。
【発明を実施するための形態】
【００１２】
本発明の前記及びその他の技術内容、特徴と効果を明確に示すべく、以下は図面を参照しながらその好ましい実施例を詳しく説明する。以下の実施例において言及される方向用語、例えば、上、下、左、右、前及び後などは、図面を参照する方向のみである。従って、これらの方向用語は説明目的に用いられるものであり、本発明を制限するものではない。
【００１３】
本発明の内容をより分かりやすく示すために、以下は本発明を確実に実施できる範例として実施例を挙げて説明する。また、可能な限りであるが、図面及び実施形態における同じ符号の素子/部材/ステップが同じまたは類似する構成部を示す。
【００１４】
図１は本発明の一実施例の投影システムの配置を示すブロック図である。図１を参照すると、投影システム１０は投影設備１００、開閉可能機構２１０、センサ２２０及び電源供給ユニット２３０を含み、かつ電源供給ユニット２３０が投影設備１００にカップリングされる（接続される）。センサ２２０が電源供給ユニット２３０にカップリングされる。本実施例において、センサ２００は開閉可能機構２１０に設置され、かつ開閉可能機構２１０が開け状態であるか否か判断する。センサ２２０は開閉可能機構が開け状態であることを検出した時、センサ２２０は検出信号を電源供給ユニット２３０に出力し、電源供給ユニット２３０が前記検出信号に基づいて電源信号を投影設備１００に提供する。つまり、電源供給ユニット２３０は電源制御回路１３０に電力（電圧）を提供する。本実施例において、投影設備１００が電源供給ユニット２３０によって起動された後、投影設備１００は動画データを読み取って、動画投影画面を投影面Ｓ１（投影目標とも称す）に投射し、投影面Ｓ１が例えば地面である。所謂カップリングとは電気信号またはデータの伝達と定義することができる。本実施例において、投影設備１００は画像音声処理回路１１０、投影装置１２０及び電源制御回路１３０を含む。電源制御回路１３０は画像音声処理回路１１０及び投影装置１２０にカップリングされ、かつ外部の電源供給ユニット２３０にカップリングされる。一実施例において、開閉可能機構２１０が車のドアであり、かつ投影設備１００を車のドアの下縁に設置することができる。別の実施例において、開閉可能機構２１０が投影設備１００の外部に設置される。電源供給ユニット２３０は例えば自動車に設置されたバッテリーである。センサ２２０は例えば光学検知（Ｏｐｔｉｃａｌ  ｓｅｎｓｉｎｇ  ｍｅｔｈｏｄ）、機械検知または電磁波検知などの方式によって車のドアが開いている否かを検出する。例を挙げると、センサ２２０はマイクロスイッチであり、このマイクロスイッチが機械的な方式で開閉可能機構２１０の開け状態を検出するが、本発明はこれに限定されない。別の実施例において、センサ２２０は赤外線センサ、スイッチ式センサまたは体感センサなどであってもよい。言い換えれば、車のドアが開け状態の場合、投影設備１００は地面に向けて動画投影画面を投射して、特殊な投影効果を提供する。前記特殊な投影効果とは、例えば注意を促すためまたは特定の状況を演出するものであるが、本発明はこれについて制限しない。また、本発明の開閉可能機構は車のドアに限定されない。別の実施例において、開閉可能機構２１０は窓、ドアまたはその他の開け状態と閉め状態の切り替えが可能な物体であればよい。
【００１５】
図２は本発明の一実施例に基づく投影方法のフローチャートである。図１及び図２を参照すると、本実施例の投影方法は図１の投影システム１０及び投影設備１００に応用することができる。投影設備１００はステップＳ３１０〜Ｓ３２０を実行する。ステップＳ３１０において、電源制御回路１３０は、投影設備１００外部の電源供給ユニット２３０が開閉可能機構２１０の開け状態に応じて提供した電源信号を受信すると、電源制御回路１３０は電源信号に基づいて投影装置１２０及び画像音声処理回路１１０を駆動する。ステップＳ３２０において、画像音声処理回路１１０は動画データを投影装置１２０に出力し、かつ、投影装置１２０を制御して動画データに基づいて動画投影画面を投射させる。従った、本実施例の投影方法及び投影設備は、開閉可能機構２１０の開け状態に自動的に応じて、即時に動画投影画面を投影面Ｓ１に投射することができる。ここで、画像音声処理回路１１０、投影装置１２０及び電源制御回路１３０のハードウェア構成は当業者が明確に理解できるものとする。例を挙げると、画像音声処理回路１１０は画像データを処理することができる処理回路またはチップ（ｃｈｉｐ）、及び音声データを処理する回路またはチップ（ｃｈｉｐ）である。投影装置１２０は光源、レンズ及び表示画像生成モジュールを有する光学投射装置であり、その詳細内容について以下に説明する。また、電源制御回路１３０は電圧を変換する回路であり、主に降圧回路、例えば降圧コンバータ（Ｂｕｃｋ  Ｃｏｎｖｅｒｔｅｒ、Ｂｕｃｋコンバータとも）であり、降圧チョッパ（Ｂｕｃｋ  Ｃｈｏｐｐｅｒ）とも呼ばれるが、本発明はこれに限定されない。例を挙げると、電源制御回路１３０の機能は、投影設備１００に必要な電圧値に合わせて、自動車に設置されたバッテリーからの電圧値１２Ｖを電圧値３Ｖ〜５Ｖまで下げることである。
【００１６】
図３は本発明の別の実施例に基づく投影方法のフローチャートである。図１及び図３を参照すると、本実施例において、投影設備１００は動画投影画面の投射または静止投影画面の投射を自動的に切り替えることができる。センサ２２０によって開閉可能機構２１０が開いていると判断された時に、投影システム１０及び投影設備１００はステップＳ４１０〜Ｓ４８０を実行し、投影時間の長さに基づいて、動画投影画面を投射するかまたは静止投影画面を投射するかを決める。ステップＳ４１０において、電源供給ユニット２３０は電源信号を電源制御回路１３０に提供する。ステップＳ４２０において、電源制御回路１３０は画像音声処理回路１１０及び投影装置１２０を駆動する。ステップＳ４３０において、画像音声処理回路１１０は設定データに基づいて投影装置１２０を設置し、かつ動画データを投影装置１２０に出力する。前記設定データは、ユーザが予め設定した投影パラメータ（輝度、コントラストなど）、投影画面設定（アスペクト比、解像度など）、または投影装置１２０の制御設定（投射時間の長さなど）を意味する。ステップＳ４４０において、投影装置１２０は動画データに基づいて動画投影画面を投射する。ステップＳ４５０において、画像音声処理回路１１０は動画データの伝送が完了したか否かを判断する。未完了の場合、投影設備１００は再度ステップＳ４４０を実行し、画像音声処理回路１１０が動画データの伝送が完了した（または再生完了）と判断するまで、画像音声処理回路１１０が動画データを出力し続ける。その後、ステップＳ４６０において、画像音声処理回路１１０は静止画データを出力し、投影装置１２０が静止画データに基づいて静止投影画面を投射し続ける。ステップＳ４７０において、画像音声処理回路１１０は静止投影画面の投射が第一予定時間の長さに達しか否かを判断する。未達であれば、投影設備１００は再度ステップＳ４７０を実行し、静止投影画面の投射が第一予定時間の長さに達したか否かを引き続き監視する。第一予定時間の長さに達した場合、投影設備１００はステップＳ４８０を実行する。ステップＳ４８０において、画像音声処理回路１１０は合計投影時間の長さが第二予定時間の長さを超えたか否かを判断する。超えていない場合、投影設備１００は再度ステップＳ４３０〜Ｓ４８０を実行する。超えた場合、投影設備１００は投影を終了する。
【００１７】
言い換えれば、本実施例の投影方法によれば、開閉可能機構２１０の開け状態において、まず投影設備１００に動画投影画面を投射させ、動画データの再生が終了するまで投射させる。次に、投影設備１００は静止投影画面を投射し続け、第一予定時間の長さに達するまで静止投影画面を投射する。開閉可能機構２１０が依然として開け状態であれば、投影設備１００は再度動画投影画面を投射する。そして、開閉可能機構２１０が依然として開け状態であるが、投影設備１００が動画投影画面及び静止投影画面を繰り返し投射した時間が第二予定時間の長さを越えた場合、電力の無駄消費を避けるために、投影設備１００は投射を停止する。また、本実施例の投影方法によれば、任意の時間に開閉可能機構２１０が閉め状態に変わった場合、投影設備１００がステップＳ４１０〜Ｓ４８０の実行を停止し、その次に開閉可能機構２１０が再び開け状態になった時、投影設備１００が再度ステップＳ４１０〜Ｓ４８０を実行する。
【００１８】
図４は本発明の別の実施例の投影システムの配置を示すブロック図である。図４を参考すると、本実施例において、投影システム５０は投影設備５００、開閉可能機構６１０、センサ６２０及び電源供給ユニット６３０を含み、かつ電源供給ユニット６３０が投影設備５００にカップリングされる。センサ６２０は電源供給ユニット６３０にカップリングされる。投影設備５００は画像音声処理回路５１０、投影装置５２０、電源制御回路５３０及び音声装置５４０を含む。言い換えれば、図１に比較すると、本実施例の投影設備５００はさらに音声再生機能を提供することができる。本実施例において、画像音声処理回路５１０は第一制御回路５１１及び第二制御回路５１２を含む。第一制御回路５１１は主制御回路であり、第二制御回路５１２と音声装置５４０を制御する。第二制御回路５１２は画像制御回路であり、投影装置５２０を制御する。
【００１９】
本実施例において、第一制御回路５１１は第一処理回路５１１１及び第一メモリ５１１２を含む。第一処理回路５１１１は制御モジュール５１１３、画像コーデックモジュール５１１４及び音声コーデックモジュール５１１８を含む。第一メモリ５１１２は設定データ５１１５、（圧縮された）動画データ５１１６及び音声データ５１１７を記憶する。第二制御回路５１２は第二処理回路５１２１及び第二メモリ５１２２を含む。第二処理回路５１２１は画像処理モジュール５１２３を含む。第二メモリ５１２２は静止画データ５１２４を記憶する。本実施例において、投影装置５２０は光源と駆動回路モジュール５２１、投影光学システム５２２及び表示画像生成モジュール５２３を含む。第二処理回路５１２１は光源と駆動回路モジュール５２１及び表示画像生成モジュール５２３にカップリングされる。また、光源と駆動回路モジュール５２１は照明光束を提供し、かつ照明光束が表示画像生成モジュール５２３まで伝達され、表示画像生成モジュール５２３によって照明光束が画像光束に変換され、さらに投影光学システム５２２によって投影面Ｓ２（投影目標とも称す）まで投射される。投影光学システム５２２は前記画像光束の伝達経路上に位置し、かつ、投影光学システム５２２は例えば複数のレンズによって構成され、画像光束を伝達するものである。
【００２０】
具体的に言うと、画像音声処理回路５１０が電源制御回路５３０に駆動されて投影を始めた時に、第一処理回路５１１１の画像コーデックモジュール５１１４は圧縮された動画データ５１１６を解凍して第二処理回路５１２１に提供する。第一処理回路５１１１の制御モジュール５１１３は設定データ５１１５に基づいて第二処理回路５１２１を設定し、または設定データ５１１５を第二処理回路５１２１に提供して、第二処理回路５１２１が設定データ５１１５に基づいて投影装置５２０を設定するようにする。また、第一処理回路５１１１は音声データ５１１７を音声装置５４０に出力する。第一処理回路５１１１が出力した音声データ５１１７が音声コーデックモジュール５１１８のエンコード・デコード処理を経た後、音声装置５４０に提供されて再生される。第二処理回路５１２１の画像処理モジュール５１２３は動画データ５１１６を投影装置５２０が読み取り可能なデータに変換し、かつ投影装置５２０の表示画像生成モジュール５２３に出力する。音声装置５４０は音声データ５１１７に基づいて音声を再生する。音声装置５４０は例えばスピーカー（ｓｐｅａｋｅｒ）である。本実施例において、第二処理回路５１２１は駆動信号を光源と駆動回路モジュール５２１中の駆動回路に出力し、駆動回路を操作して駆動光源を駆動し、照明光束を投射する。表示画像生成モジュール５２３は受信したデータに基づき、投影データに対応する画像光束を提供し、かつ画像光束を投影光学システム５２２まで伝達すると、投影光学システム５２２が画像光束に対応する動画投影画面を投影面Ｓ２（投影目標とも称す）に投射する。また、本実施例の第二処理回路５１２１の画像処理モジュール５１２３はさらに第二メモリ５１２２の静止画データ５１２４を読み取り、静止画データ５１２４を表示画像生成モジュール５２３に提供することもでき、表示画像生成モジュール５２３は受信した静止画データ５１２４に基づいて、投影データに対応する画像光束を提供し、かつ画像光束を投影光学システム５２２まで伝達し、投影光学システム５２２が画像光束に対応する静止投影画面を投影面Ｓ２に投射する。なお、本実施例の音声データ５１１７と動画データ５１１６の再生長さが同じであり、または、音声データ５１１７の再生長さが動画データ５１１６及び静止画データ５１２４の合計再生長さ以上であるが、本発明はこれについて制限しない。
【００２１】
図４を参照すると、投影設備５００はさらにデータ接続モジュール５５０を含み、データ接続モジュール５５０が画像音声処理回路５１０の第一制御回路５１１と第二制御回路５１２に接続される。データ接続モジュール５５０は外部データ源（図示せず）に接続され、外部データ源が提供する更新された動画データまたは静止画データ及び音声データを受信し、かつ第一制御回路５１１と第二制御回路５１２に伝達することができる。第一制御回路５１１は、更新された動画データ及び音声データを受信したら第一メモリ５１１２に記憶する。第二制御回路５１２は、更新された静止画データを受信したら第二メモリ５１２２に記憶する。外部データ源は例えばコンピュータ（Ｃｏｍｐｕｔｅｒ）またはスマートフォン（Ｓｍａｒｔ  Ｐｈｏｎｅ）などである。ユーザが静止画データまたは動画データ及び音声データを更新したい場合、データ接続モジュール５５０を通して更新を行うことができる。データ接続モジュール５５０は有線または無線方式で外部データ源に接続することができ、データ接続モジュール５５０は例えば有線方式のユニバーサルシリアルバス（Ｕｎｉｖｅｒｓａｌ  Ｓｅｒｉａｌ  Ｂｕｓ，ＵＳＢ）、コントローラエリアネットワーク（Ｃｏｎｔｒｏｌｌｅｒ  Ａｒｅａ  Ｎｅｔｗｏｒｋ，ＣＡＮまたはＣＡＮ  ｂｕｓ）、または無線方式のＷｉＦｉ、Ｂｌｕｅｔｏｏｔｈなどのインターフェースの回路である。
【００２２】
例を挙げると、図３の投影方法は図４の投影システム５０に応用することもできる。図３及び図４を参照すると、センサ６２０によって開閉可能機構６１０が開いていると判断された場合、投影システム５０及び投影設備５００はステップＳ４１０〜Ｓ４８０を実行する。ステップＳ４１０において、電源供給ユニット６３０は電源制御回路５３０に電源信号を提供する。ステップＳ４２０において、電源制御回路５３０は画像音声処理回路５１０及び投影装置５２０を駆動する。ステップＳ４３０において、画像音声処理回路５１０の第一処理回路５１１１が設定データ５１１５に基づいて第二処理回路５１２１を設定し、または設定データ５１１５を第二処理回路５１２１に提供し、第二処理回路５１２１が設定データ５１１５に基づいて投影装置５２０を設定し、かつ動画データ５１１６を投影装置５２０に出力する。前記設定データとは、ユーザが予め設定した投影パラメータ、投影画面設定または投影装置５２０の制御設定である。また、第一処理回路５１１１はさらに音声データ５１１７を音声装置５４０に出力する。詳しく言うと、第一処理回路５１１１が出力した音声データ５１１７が音声コーデックモジュール５１１８のエンコード・デコード処理を経た後、音声装置５４０に提供されて再生される。ステップＳ４４０において、投影装置５２０は動画データ５１１６に基づいて動画投影画面を投射し、かつ、音声装置５４０は音声データ５１１７に基づいて音声を再生する。
【００２３】
ステップＳ４５０において、画像音声処理回路５１０の第一処理回路５１１１が動画データ５１１６の伝送が完了したか否かを判断する。未完了であれば、投影設備５００は再度ステップＳ４４０を実行し、画像音声処理回路５１０の第一処理回路５１１１が動画データ５１１６の伝送が完了したと判断するまで、画像音声処理回路５１０の第一処理回路５１１１に動画データ５１１６を出力し続ける。そして、ステップＳ４６０において、画像音声処理回路５１０の第二処理回路５１２１が静止画データを出力し、投影装置５２０が静止画データに基づいて静止投影画面を投射し続ける。ステップＳ４７０において、画像音声処理回路５１０の第二処理回路５１２１は静止投影画面の投射が第一予定時間の長さに達したか否かを判断する。未達であれば、投影設備５００は再度ステップＳ４７０を実行し、静止投影画面の投射が第一予定時間の長さに達したか否かを引き続き監視する。第一予定時間に達した場合、投影設備５００はステップＳ４８０を実行する。ステップＳ４８０において、画像音声処理回路５１０の第二処理回路５１２１は合計投影時間の長さが第二予定時間の長さを超えたか否かを判断する。超えていない場合、投影設備５００は再度ステップＳ４３０〜Ｓ４８０を実行する。超えた場合、投影設備５００は投影を終了する。従って、本実施例の投影システム５０及び投影設備５００は、開閉可能機構６１０の開け状態の継続時間の長さに基づいて、自動的に動画投影画面または静止投影画面を投影面Ｓ２に投射する。
【００２４】
図５は本発明のさらに別の実施例の投影システムの配置を示すブロック図である。本実施例において、投影システム７０は投影設備７００、開閉可能機構８１０、センサ８２０及び電源供給ユニット８３０を含み、かつ電源供給ユニット８３０が投影設備７００にカップリングされる。センサ８２０は電源供給ユニット８３０にカップリングされる。投影設備７００は画像音声処理回路７１０、投影装置７２０、電源制御回路７３０及び音声装置７４０を含む。言い換えれば、図１に比較すると、本実施例の投影設備７００はさらに音声再生機能を提供することができる。本実施例において、画像音声処理回路７１０は第一制御回路７１１及び第二制御回路７１２を含む。第一制御回路７１１は主制御回路であり、かつ第二制御回路７１２を制御する。第二制御回路７１２は画像音声制御回路であり、かつ投影装置７２０と音声装置７４０を制御する。
【００２５】
本実施例において、第一制御回路７１１は第一処理回路７１１１及び第一メモリ７１１２を含む。第一処理回路７１１１は制御モジュール７１１３を含む。第一メモリ７１１２は設定データ７１１５を記憶する。第二制御回路７１２は第二処理回路７１２１及び第二メモリ７１２２を含む。第二処理回路７１２１は画像処理モジュール７１２３、画像コーデックモジュール７１２５及び音声コーデックモジュール７１２８を含む。第二メモリ７１２２は静止画データ７１２４、（圧縮された）動画データ７１２６及び音声データ７１２７を記憶する。本実施例において、投影装置７２０は光源と駆動回路モジュール７２１、投影光学システム７２２及び表示画像生成モジュール７２３を含む。第二処理回路７１２１は光源と駆動回路モジュール７２１及び表示画像生成モジュール７２３にカップリングされる。また、光源と駆動回路モジュール７２１は照明光束を提供し、照明光束が表示画像生成モジュール７２３まで伝達され、表示画像生成モジュール７２３によって照明光束が画像光束に変換され、かつ投影光学システム７２２によって投影面Ｓ３（投影目標とも称す）に投射される。投影光学システム７２２は画像光束の伝達経路上に位置し、かつ投影光学システム７２２は例えば複数のレンズによって構成され、画像光束を伝達する構成である。
【００２６】
具体的に言うと、画像音声処理回路７１０が電源制御回路７３０に駆動されて投影を始めた時に、第一処理回路７１１１の制御モジュール７１１３は設定データ７１１５に基づいて第二処理回路７１２１を設定し、または設定データ７１１５を第二処理回路７１２１に提供する。第二処理回路７１２１の画像コーデックモジュール７１２５は圧縮された動画データ７１２６を解凍し、かつ画像処理モジュール７１２３が解凍された動画データ７１２６を投影装置７２０が読み取り可能な動画データ７１２６に変換して、投影装置７２０の表示画像生成モジュール７２３に出力する。また、第二処理回路７１２１はさらに音声データ７１２７を音声装置７４０に提供する。第二処理回路７１２１が出力した音声データ７１２７が音声コーデックモジュール７１２８のエンコード・デコード処理を経て、音声装置７４０に提供されて再生される。音声装置７４０は音声データ７１２７に基づいて音声を再生する。本実施例において、第二処理回路７１２１は駆動信号を光源と駆動回路モジュール７２１中の駆動回路に出力し、駆動回路を操作して光源を駆動し、照明光束を投射させる。表示画像生成モジュール７２３は受信したデータに基づいて、投影データに対応する画像光束を提供し、かつ画像光束が投影光学システム７２２まで伝達され、投影光学システム７２２が画像光束に対応する動画投影画面を投影面Ｓ３（投影目標とも称す）に投射する。また、本実施例の第二処理回路７１２１の画像処理モジュール７１２３はさらに第二メモリ７１２２の静止画データ７１２４を読み取って、静止画データ７１２４を表示画像生成モジュール７２３に提供し、表示画像生成モジュール７２３が受信した静止画データ７１２４に基づき、投影データに対応する画像光束を提供し、かつ画像光束が投影光学システム７２２まで伝達され、投影光学システム７２２が画像光束に対応する静止投影画面を投影面Ｓ３に投射する。なお、本実施例の音声データ７１２７と動画データ７１２６の再生長さが同じであり、または音声データ７１２７の再生長さが動画データ７１２６及び静止画データ７１２４の合計再生長さ以上であるが、本発明はこれについて制限しない。
【００２７】
例を挙げると、図３の投影方法を図５の投影システム７０に応用することができる。図３及び図５を参照すると、センサ８２０によって開閉可能機構８１０が開いていると判断された時に、投影システム７０及び投影設備７００はステップＳ４１０〜Ｓ４８０を実行する。ステップＳ４１０において、電源供給ユニット８３０は電源信号を電源制御回路７３０に提供する。ステップＳ４２０において、電源制御回路７３０は画像音声処理回路７１０及び投影装置７２０を駆動する。ステップＳ４３０において、画像音声処理回路７１０の第一処理回路７１１１は設定データ７１１５に基づいて第二処理回路７１２１を設定し、または設定データ７１１５を第二処理回路７１２１に出力し、第二処理回路７１２１が設定データ７１１５に基づいて投影装置７２０を設定し、かつ動画データ７１２６を投影装置７２０に出力する。前記設定データとはユーザが予め設定した投影パラメータ、投影画面設定または投影装置７２０の制御設定を意味する。また、第二処理回路７１２１はさらに音声データ７１２７を音声装置７４０に出力する。詳しく言うと、第二処理回路７１２１によって出力された音声データ７１２７が音声コーデックモジュール７１２８のエンコード・デコード処理を経た後、音声装置７４０に提供されて再生される。ステップＳ４４０において、投影装置７２０は動画データ７１２６に基づいて動画投影画面を投射し、かつ音声装置７４０は音声データ７１２７に基づいて音声を再生する。
【００２８】
ステップＳ４５０において、画像音声処理回路７１０の第二処理回路７１２１は動画データ７１２６の伝送が完了したか否かを判断する。未完了であれば、投影設備７００は再度ステップＳ４４０を実行し、画像音声処理回路７１０の第二処理回路７１２１が動画データ７１２６の伝送が完了した判断するまで行う。その後、ステップＳ４６０において、画像音声処理回路７１０の第二処理回路７１２１が静止画データを出力し、投影装置７２０が静止画データに基づいて静止投影画面を投射し続ける。ステップＳ４７０において、画像音声処理回路７１０の第二処理回路７１２１が静止投影画面の投射が第一予定時間の長さに達したか否かを判断する。未達の場合、投影設備７００は再度ステップＳ４７０を実行し、静止投影画面の投射が第一予定時間の長さに達したか否かを引き続き監視する。第一予定時間に達した場合、投影設備７００はステップＳ４８０を実行する。ステップＳ４８０において、画像音声処理回路７１０の第二処理回路７１２１は合計投影時間の長さが第二予定時間の長さを超えたか否かを判断する。超えていない場合、投影設備７００は再度ステップＳ４３０〜Ｓ４８０を実行する。超えた場合、投影設備７００は投影を終了する。従って、本実施例の投影システム７０及び投影設備７００は、開閉可能機構８１０の開け状態の継続時間の長さに基づいて、自動的に動画投影画面または静止投影画面を投影面Ｓ３に投射する。
【００２９】
なお、上記各実施例において、投影装置１２０、５２０、７２０は当該技術分野に周知されている投影機（Ｐｒｏｊｅｃｔｏｒ）における光学システムであり、その光源と駆動回路モジュール５２１、７２１中の光源が例えば放電電球、発光ダイオードまたはレーザー光源を有する発光装置であり、光源と駆動回路モジュール５２１、７２１中の駆動回路が光源駆動回路またはチップである。表示画像生成モジュール５２３、７２３は例えば反射式または透過式の空間光変調器である。例えば、デジタルマイクロミラーデバイス（Ｄｉｇｉｔａｌ  Ｍｉｃｒｏｍｉｒｒｏｒ  Ｄｅｖｉｃｅ，ＤＭＤ）、シリコン基板液晶素子（Ｌｉｑｕｉｄ  Ｃｒｙｓｔａｌ  Ｏｎ  Ｓｉｌｉｃｏｎ，ＬＣＯＳ）表示パネルまたは液晶表示パネル（Ｌｉｑｕｉｄ  Ｃｒｙｓｔａｌ  Ｄｉｓｐｌａｙ，ＬＣＤ）を含む。また、第一処理回路５１１１、７１１１及び第二処理回路５１２１、７１２１は、例えば、それぞれ画像処理機能を有する中央処理ユニット（Ｃｅｎｔｒａｌ  Ｐｒｏｃｅｓｓｉｎｇ  Ｕｎｉｔ，ＣＰＵ）、またはその他の編集可能な汎用若しくは専用のマイクロプロセッサー（Ｍｉｃｒｏｐｒｏｃｅｓｓｏｒ）、イメージプロセッシングユニット（Ｉｍａｇｅ  Ｐｒｏｃｅｓｓｉｎｇ  Ｕｎｉｔ，ＩＰＵ）、グラフィックスプロセッシングユニット（Ｇｒａｐｈｉｃｓ  Ｐｒｏｃｅｓｓｉｎｇ  Ｕｎｉｔ，ＧＰＵ）、デジタルシグナルプロセッサー（Ｄｉｇｉｔａｌ  Ｓｉｇｎａｌ  Ｐｒｏｃｅｓｓｏｒ，  ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ，ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）、その他の類似する演算回路またはこれら回路の組み合わせを含む。制御モジュール５１１３、７１１３は、例えば制御回路またはチップであり、画像コーデックモジュール５１１４、７１２５は例えば画像をエンコード・デコードする回路またはチップであり、音声コーデックモジュール５１１８、７１２８は例えば音声をエンコード・デコードする回路またはチップであり、画像処理モジュール５１２３、７１２３は例えば画像処理回路またはチップである。さらに、別の実施例において、制御モジュール５１１３、７１１３、画像コーデックモジュール５１１４、７１２５及び画像処理モジュール５１２３、７１２３は、第一メモリ（ｆｉｒｓｔ  ｍｅｍｏｒｙ）５１１２、７１１２及び第二メモリ（ｓｅｃｏｎｄ  ｍｅｍｏｒｙ）５１２２、７１２２またはその他の記憶ユニットに記憶されたソフトウエアプログラムまたはハードウェアであり、それぞれ第一処理回路５１１１、７１１１及び第二処理回路５１２１、７１２１に読み取られ、実行されるようにしてもよい。
【００３０】
再度図５を参照すると、投影設備７００はさらにデータ接続モジュール７５０を含み、データ接続モジュール７５０は画像音声処理回路７１０の第二制御回路７１２に接続される。データ接続モジュール７５０は外部データ源に接続され、外部データ源が提供する更新された動画データまたは静止画データ及び音声データを受信し、かつ第二制御回路７１２まで伝達することができる。第二制御回路７１２は更新された静止画データまたは動画データ及び音声データを受信すると、それぞれ第二メモリ７１２２に記憶することができる。外部データ源は例えばコンピュータ（Ｃｏｍｐｕｔｅｒ）またはスマートフォン（Ｓｍａｒｔ  Ｐｈｏｎｅ）などである。ユーザは静止画データまたは動画データ及び音声データを更新したい場合、データ接続モジュール７５０を通して更新を行うことができる。データ接続モジュール７５０は有線または無線の方式で外部データ源に接続されることができ、データ接続モジュール７５０は例えば有線方式のユニバーサルシリアルバス（Ｕｎｉｖｅｒｓａｌ  Ｓｅｒｉａｌ  Ｂｕｓ，ＵＳＢ）、コントローラエリアネットワーク（Ｃｏｎｔｒｏｌｌｅｒ  Ａｒｅａ  Ｎｅｔｗｏｒｋ，ＣＡＮまたはＣＡＮ  ｂｕｓ）または無線方式のＷｉＦｉ、Ｂｌｕｅｔｏｏｔｈなどのインターフェースの回路である。
【００３１】
以上を纏めると、本発明の投影装置、投影システム及び投影方法は自動的に開閉可能機構の開け状態に応じて動画投影画面を投影面に投射し、即時に投影効果を提供する。また、一部の実施状況において、本発明の投影装置、投影システム及び投影方法は、動画投影画面の投射が終わると静止投影画面を続けて投射し、または同期して音声を再生して、特殊の音と光効果を提供するようにしてよい。
【００３２】
以上は本発明の好ましい実施例に過ぎず、本発明の実施範囲を制限するものではない。本発明の請求の範囲及び発明内容を基に行われた簡単、等価の変更と修正はすべて本発明の範囲内に属する。また、本発明の任意の実施例または請求項は、必ずしも本発明のすべての目的または利点または特徴を達成するものとは限らない。さらに、要約書と発明の名称は特許検索に利用されるものであり、本発明の権利範囲を制限するものではない。また、請求の範囲で言及される「第一」、「第二」等の用語は素子（ｅｌｅｍｅｎｔ）の名称を示し、または異なる実施例及び範囲を区別するものであり、素子の数の上限または下限を制限するものではない。
【図１】
2020191638.tif 000003
【図２】
2020191638.tif 000004
【図３】
2020191638.tif 000005
【図４】
2020191638.tif 000006
【図５】
2020191638.tif 000007
【外国語明細書】
2020191638000001.pdf